【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
有価価値による賭数を設定することで識別情報を可変表示することが可能な可変表示装置を有し、該可変表示装置の表示結果に従って有価価値を付与するスロットマシンであって、
遊技の進行状況に応じた報知を行う報知手段と、
前記可変表示装置の表示結果が前記有価価値を付与すべき入賞態様となることにより、前記有価価値を付与する有価価値付与手段と、
遊技の進行を制御すると共に、進行している遊技の状態に応じて前記報知手段を制御するための制御情報を送信する遊技制御手段と、
前記遊技制御手段とは別個に設けられ、前記遊技制御手段から送信された制御情報を受信し、該受信した制御情報に従って前記報知手段に報知を行わせる報知制御手段と、
前記スロットマシンに異常が発生して遊技の進行が不能となった状態を、外部操作により解除させる解除手段とを備え、
前記遊技制御手段は、
前記可変表示装置の表示結果が前記有価価値を付与すべき入賞態様となることにより、前記報知制御手段に報知指令情報を送信する報知指令情報送信手段と、
前記可変表示装置上の表示結果に従って付与すべき全ての有価価値の付与を正常に行い得ない事象が発生したことにより、前記報知制御手段に報知中断指令情報を送信する報知中断指令情報送信手段と、
前記有価価値の付与を正常に行い得ない事象の発生により遊技の進行が不能となった状態が前記解除手段の操作により解除されることにより、前記報知手段による報知を再開させるための所定の制御情報を前記報知制御手段に送信する報知再開制御情報送信手段と、
前記可変表示装置上の表示結果に従って付与すべき全ての有価価値の付与を完了することにより、前記報知制御手段に報知終了指令情報を送信する報知終了指令情報送信手段とを備え、
前記報知制御手段は、
前記有価価値を付与すべき入賞態様に対応して送信された報知指令情報の受信により、前記報知手段に前記有価価値の付与の報知を開始させる報知開始制御手段と、
前記有価価値の付与を正常に行い得ない事象の発生に対応して送信された報知中断指令情報の受信により、前記報知手段による有価価値の付与の報知を中断させる報知中断制御手段と、
前記有価価値の付与を正常に行い得ない事象の発生により遊技の進行が不能となった状態の解除に対応して送信された所定の制御情報の受信により、前記報知手段に終了されていた有価価値の付与の報知を再開させる報知再開制御手段と、
前記有価価値の付与の完了に対応して送信された報知終了指令情報の受信により、前記報知手段が行っている前記有価価値の付与の報知を終了させる報知終了制御手段とを備える
ことを特徴とするスロットマシン。
【請求項２】
賭数の設定を可能とする有価価値として、遊技者によって投入された有価価値、または前記可変表示装置の表示結果に従って付与された有価価値をデータとして蓄積すると共に、遊技者の指示によりデータとして蓄積された有価価値を遊技者に払い出す有価価値蓄積手段と、
遊技者の操作により、前記有価価値蓄積手段に蓄積された有価価値を精算し、払い出すことを指示する精算払出指示手段とをさらに備え、
前記報知指令情報送信手段は、さらに前記精算払出指示手段が操作されることにより、前記報知制御手段に前記報知指令情報を送信し、
前記報知中断指令情報送信手段は、さらに前記精算して払い出すべき全ての有価価値の払い出しを正常に行い得ない事象が発生したことにより、前記報知制御手段に報知中断指令情報を送信し、
前記報知再開制御情報送信手段は、さらに前記有価価値の精算による払い出しを正常に行い得ない事象の発生により遊技の進行が不能となった状態が前記解除手段により解除されることにより、前記報知手段による報知を再開させるための所定の制御情報を前記報知制御手段に送信し、
前記報知終了指令情報送信手段は、さらに前記有価価値蓄積手段に蓄積された全ての有価価値の精算による払い出しが完了することにより、前記報知制御手段に前記報知終了指令情報を送信し、
前記報知開始制御手段は、さらに前記精算払出指示手段の操作に対応して送信された報知指令情報の受信により、前記報知手段に前記有価価値の払い出しの報知を開始させ、
前記報知中断制御手段は、さらに前記報知中断指令情報の受信により、前記報知手段による有価価値の払い出しの報知を中断させ、
前記報知再開制御手段は、さらに前記有価価値の払い出しを正常に行い得ない事象の発生により遊技の進行が不能となった状態の解除に対応して送信された所定の制御情報の受信により、前記報知手段に終了されていた有価価値の払い出しの報知を再開させ、
前記報知終了制御手段は、さらに前記有価価値の精算による払い出しの完了に対応して送信された報知終了指令情報の受信により、前記報知手段が行っている前記有価価値の払い出しの報知を終了させる
ことを特徴とする請求項１に記載のスロットマシン。
【請求項３】
前記報知指令情報送信手段は、前記精算払出指示手段が操作されたときには、前記可変表示装置の表示結果が前記有価価値を付与すべき入賞態様となったときとは異なる種類の報知指令情報を前記報知制御手段に送信し、
前記報知開始制御手段は、前記精算払出指示手段が操作されることにより送信される種類の報知指令情報を受信した場合には、前記可変表示装置の表示結果が入賞態様となることによって前記有価価値を付与することにより送信される種類の報知指令情報を受信した場合とは異なる態様で、前記報知手段に報知を開始させる
ことを特徴とする請求項２に記載のスロットマシン。
【請求項４】
前記報知終了指令情報送信手段は、前記有価価値蓄積手段に蓄積された全ての有価価値の精算による払い出しが完了した場合には、前記可変表示装置上の表示結果に従って付与すべき全ての有価価値の付与を完了した場合とは異なる種類の報知終了指令情報を前記報知制御手段に送信する
ことを特徴とする請求項３に記載のスロットマシン。
【請求項５】
有価価値による賭数を設定することで識別情報を可変表示することが可能な可変表示装置を有し、該可変表示装置の表示結果に従って有価価値を付与するスロットマシンであって、
賭数の設定を可能とする有価価値として、遊技者によって投入された有価価値、または前記可変表示装置の表示結果に従って付与された有価価値をデータとして蓄積すると共に、遊技者の指示により蓄積された有価価値を遊技者に払い出す有価価値蓄積手段と、
遊技の進行状況に応じた報知を行う報知手段と、
前記可変表示装置の表示結果が前記有価価値を付与すべき入賞態様となることにより、前記有価価値を付与する有価価値付与手段と、
遊技者の操作により、前記有価価値蓄積手段に蓄積された有価価値を精算し、払い出すことを指示する精算払出指示手段と、
前記有価価値付与手段による有価価値の付与、並びに前記有価価値蓄積手段への有価価値の蓄積及び前記有価価値蓄積手段からの有価価値の精算払出を含む遊技の進行を制御すると共に、進行している遊技の状態に応じて前記報知手段を制御するための制御情報を送信する遊技制御手段と、
前記遊技制御手段とは別個に設けられ、前記遊技制御手段から送信された制御情報を受信し、該受信した制御情報に従って前記報知手段に報知を行わせる報知制御手段と、
前記スロットマシンに異常が発生して遊技の進行が不能となった状態を、外部操作により解除させる解除手段とを備え、
前記遊技制御手段は、
前記精算払出指示手段が操作されることにより、前記報知制御手段に報知指令情報を送信する報知指令情報送信手段と、
精算して払い出すべき全ての有価価値の払い出しを正常に行い得ない事象が発生したことにより、前記報知制御手段に報知中断指令情報を送信する報知中断指令情報送信手段と、
前記有価価値の精算による払い出しを正常に行い得ない事象の発生により遊技の進行が不能となった状態が前記解除手段により解除されることにより、前記報知手段による報知を再開させるための所定の制御情報を前記報知制御手段に送信する報知再開制御情報送信手段と、
前記有価価値蓄積手段に蓄積された全ての有価価値の精算による払い出しが完了することにより、前記報知制御手段に報知終了指令情報を送信する報知終了指令情報送信手段とを備え、
前記報知制御手段は、
前記報知指令情報の受信により、前記報知手段に前記有価価値の払い出しの報知を開始させる報知開始制御手段と、
前記報知中断指令情報の受信により、前記報知手段による有価価値の払い出しの報知を中断させる報知中断制御手段と、
前記所定の制御情報の受信により、前記報知手段に終了されていた有価価値の払い出しの報知を再開させる報知再開制御手段と、
前記報知終了指令情報の受信により、前記報知手段が行っている前記有価価値の払い出しの報知を終了させる報知終了制御手段とを備える
ことを特徴とするスロットマシン。
【手続補正２】
【補正対象書類名】明細書
【補正対象項目名】０００９
【補正方法】変更
【補正の内容】
【０００９】
【課題を解決するための手段】
上記目的を達成するため、本発明の第１の観点にかかるスロットマシンは、
有価価値による賭数を設定することで識別情報を可変表示することが可能な可変表示装置を有し、該可変表示装置の表示結果に従って有価価値を付与するスロットマシンであって、
遊技の進行状況に応じた報知を行う報知手段と、
前記可変表示装置の表示結果が前記有価価値を付与すべき入賞態様となることにより、前記有価価値を付与する有価価値付与手段と、
遊技の進行を制御すると共に、進行している遊技の状態に応じて前記報知手段を制御するための制御情報を送信する遊技制御手段と、
前記遊技制御手段とは別個に設けられ、前記遊技制御手段から送信された制御情報を受信し、該受信した制御情報に従って前記報知手段に報知を行わせる報知制御手段と、
前記スロットマシンに異常が発生して遊技の進行が不能となった状態を、外部操作により解除させる解除手段とを備え、
前記遊技制御手段は、
前記可変表示装置の表示結果が前記有価価値を付与すべき入賞態様となることにより、前記報知制御手段に報知指令情報を送信する報知指令情報送信手段と、
前記可変表示装置上の表示結果に従って付与すべき全ての有価価値の付与を正常に行い得ない事象が発生したことにより、前記報知制御手段に報知中断指令情報を送信する報知中断指令情報送信手段と、
前記有価価値の付与を正常に行い得ない事象の発生により遊技の進行が不能となった状態が前記解除手段の操作により解除されることにより、前記報知手段による報知を再開させるための所定の制御情報を前記報知制御手段に送信する報知再開制御情報送信手段と、
前記可変表示装置上の表示結果に従って付与すべき全ての有価価値の付与を完了することにより、前記報知制御手段に報知終了指令情報を送信する報知終了指令情報送信手段とを備え、
前記報知制御手段は、
前記有価価値を付与すべき入賞態様に対応して送信された報知指令情報の受信により、前記報知手段に前記有価価値の付与の報知を開始させる報知開始制御手段と、
前記有価価値の付与を正常に行い得ない事象の発生に対応して送信された報知中断指令情報の受信により、前記報知手段による有価価値の付与の報知を中断させる報知中断制御手段と、
前記有価価値の付与を正常に行い得ない事象の発生により遊技の進行が不能となった状態の解除に対応して送信された所定の制御情報の受信により、前記報知手段に終了されていた有価価値の付与の報知を再開させる報知再開制御手段と、
前記有価価値の付与の完了に対応して送信された報知終了指令情報の受信により、前記報知手段が行っている前記有価価値の付与の報知を終了させる報知終了制御手段とを備える
ことを特徴とする。
【手続補正３】
【補正対象書類名】明細書
【補正対象項目名】００１０
【補正方法】変更
【補正の内容】
【００１０】
上記第１の観点にかかるスロットマシンでは、可変表示装置の表示結果が入賞態様となれば報知指令情報が報知制御手段に送信され、有価価値の付与が正常に完了すれば報知終了指令情報が送信される。全ての有価価値の付与が完了する前に異常が発生して有価価値の付与が途中で行えなくなった場合に報知中断指令情報が報知制御手段に送信され、直ちに報知を停止させることができる。さらに、異常の発生により遊技の進行が不能となった状態が解除手段の操作により解除されれば所定の制御情報が送信され、途中で行えなくなった有価価値の付与の報知を再開させることもできる。こうして、報知制御手段は、有価価値が付与されている期間にタイミングを合わせて、有価価値の付与を報知することができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
上記第１の観点にかかるスロットマシンは、
賭数の設定を可能とする有価価値として、遊技者によって投入された有価価値、または前記可変表示装置の表示結果に従って付与された有価価値をデータとして蓄積すると共に、遊技者の指示によりデータとして蓄積された有価価値を遊技者に払い出す有価価値蓄積手段と、
遊技者の操作により、前記有価価値蓄積手段に蓄積された有価価値を精算し、払い出すことを指示する精算払出指示手段とをさらに備えるものとすることができる。この場合において、
前記報知指令情報送信手段は、さらに前記精算払出指示手段が操作されることにより、前記報知制御手段に前記報知指令情報を送信し、
前記報知中断指令情報送信手段は、さらに前記精算して払い出すべき全ての有価価値の払い出しを正常に行い得ない事象が発生したことにより、前記報知制御手段に報知中断指令情報を送信し、
前記報知再開制御情報送信手段は、さらに前記有価価値の精算による払い出しを正常に行い得ない事象の発生により遊技の進行が不能となった状態が前記解除手段により解除されることにより、前記報知手段による報知を再開させるための所定の制御情報を前記報知制御手段に送信し、
前記報知終了指令情報送信手段は、さらに前記有価価値蓄積手段に蓄積された全ての有価価値の精算による払い出しが完了することにより、前記報知制御手段に前記報知終了指令情報を送信し、
前記報知開始制御手段は、さらに前記精算払出指示手段の操作に対応して送信された報知指令情報の受信により、前記報知手段に前記有価価値の払い出しの報知を開始させ、
前記報知中断制御手段は、さらに前記報知中断指令情報の受信により、前記報知手段による有価価値の払い出しの報知を中断させ、
前記報知再開制御手段は、さらに前記有価価値の払い出しを正常に行い得ない事象の発生により遊技の進行が不能となった状態の解除に対応して送信された所定の制御情報の受信により、前記報知手段に終了されていた有価価値の払い出しの報知を再開させ、
前記報知終了制御手段は、さらに前記有価価値の精算による払い出しの完了に対応して送信された報知終了指令情報の受信により、前記報知手段が行っている前記有価価値の払い出しの報知を終了させることができる。
【手続補正９】
【補正対象書類名】明細書
【補正対象項目名】００１６
【補正方法】変更
【補正の内容】
【００１６】
この場合において、
前記報知指令情報送信手段は、前記精算払出指示手段が操作されたときには、前記可変表示装置の表示結果が前記有価価値を付与すべき入賞態様となったときとは異なる種類の報知指令情報を前記報知制御手段に送信し、
前記報知開始制御手段は、前記精算払出指示手段が操作されることにより送信される種類の報知指令情報を受信した場合には、前記可変表示装置の表示結果が入賞態様となることによって前記有価価値を付与することにより送信される種類の報知指令情報を受信した場合とは異なる態様で、前記報知手段に報知を開始させることができる。
さらに、前記報知終了指令情報送信手段は、前記有価価値蓄積手段に蓄積された全ての有価価値の精算による払い出しが完了した場合には、前記可変表示装置上の表示結果に従って付与すべき全ての有価価値の付与を完了した場合とは異なる種類の報知終了指令情報を前記報知制御手段に送信することができる。
【手続補正１０】
【補正対象書類名】明細書
【補正対象項目名】００１８
【補正方法】変更
【補正の内容】
【００１８】
上記目的を達成するため、本発明の第２の観点にかかるスロットマシンは、
有価価値による賭数を設定することで識別情報を可変表示することが可能な可変表示装置を有し、該可変表示装置の表示結果に従って有価価値を付与するスロットマシンであって、
賭数の設定を可能とする有価価値として、遊技者によって投入された有価価値、または前記可変表示装置の表示結果に従って付与された有価価値をデータとして蓄積すると共に、遊技者の指示により蓄積された有価価値を遊技者に払い出す有価価値蓄積手段と、
遊技の進行状況に応じた報知を行う報知手段と、
前記可変表示装置の表示結果が前記有価価値を付与すべき入賞態様となることにより、前記有価価値を付与する有価価値付与手段と、
遊技者の操作により、前記有価価値蓄積手段に蓄積された有価価値を精算し、払い出すことを指示する精算払出指示手段と、
前記有価価値付与手段による有価価値の付与、並びに前記有価価値蓄積手段への有価価値の蓄積及び前記有価価値蓄積手段からの有価価値の精算払出を含む遊技の進行を制御すると共に、進行している遊技の状態に応じて前記報知手段を制御するための制御情報を送信する遊技制御手段と、
前記遊技制御手段とは別個に設けられ、前記遊技制御手段から送信された制御情報を受信し、該受信した制御情報に従って前記報知手段に報知を行わせる報知制御手段と、
前記スロットマシンに異常が発生して遊技の進行が不能となった状態を、外部操作により解除させる解除手段とを備え、
前記遊技制御手段は、
前記精算払出指示手段が操作されることにより、前記報知制御手段に報知指令情報を送信する報知指令情報送信手段と、
精算して払い出すべき全ての有価価値の払い出しを正常に行い得ない事象が発生したことにより、前記報知制御手段に報知中断指令情報を送信する報知中断指令情報送信手段と、
前記有価価値の精算による払い出しを正常に行い得ない事象の発生により遊技の進行が不能となった状態が前記解除手段により解除されることにより、前記報知手段による報知を再開させるための所定の制御情報を前記報知制御手段に送信する報知再開制御情報送信手段と、
前記有価価値蓄積手段に蓄積された全ての有価価値の精算による払い出しが完了することにより、前記報知制御手段に報知終了指令情報を送信する報知終了指令情報送信手段とを備え、
前記報知制御手段は、
前記報知指令情報の受信により、前記報知手段に前記有価価値の払い出しの報知を開始させる報知開始制御手段と、
前記報知中断指令情報の受信により、前記報知手段による有価価値の払い出しの報知を中断させる報知中断制御手段と、
前記所定の制御情報の受信により、前記報知手段に終了されていた有価価値の払い出しの報知を再開させる報知再開制御手段と、
前記報知終了指令情報の受信により、前記報知手段が行っている前記有価価値の払い出しの報知を終了させる報知終了制御手段とを備える
ことを特徴とする。
【手続補正１１】
【補正対象書類名】明細書
【補正対象項目名】００１９
【補正方法】変更
【補正の内容】
【００１９】
上記第２の観点にかかるスロットマシンでは、遊技者が精算払出指示手段を操作することによって報知指令情報が報知制御手段に送信され、有価価値の精算による払い出しが正常に完了すれば報知終了指令情報が送信される。さらに、全ての有価価値の払い出しが完了する前に異常が発生して有価価値の払い出しが途中で行えなくなった場合に報知中断指令情報が報知制御手段に送信され、直ちに報知を停止させることができる。さらに、異常の発生により遊技の進行が不能となった状態が解除手段の操作により解除されれば所定の制御情報が送信され、途中で行えなくなった有価価値の払い出し報知を再開させることもできる。こうして、報知制御手段は、精算払出条件の期間にタイミングを合わせて、有価価値の精算による払い出しを報知することができる。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】０１２５
【補正方法】変更
【補正の内容】
【０１２５】
【発明の効果】
請求項１の発明によれば、可変表示装置の表示結果が入賞態様となってから有価価値の付与を完了するまでの期間にタイミングを合わせて、有価価値の付与を報知することができる。また、異常の発生によって有価価値の付与が行えなくなることによって、報知を停止させ、一旦停止された報知を再開させることができる。
【手続補正１８】
【補正対象書類名】明細書
【補正対象項目名】０１２６
【補正方法】削除
【補正の内容】
【手続補正１９】
【補正対象書類名】明細書
【補正対象項目名】０１２７
【補正方法】削除
【補正の内容】
【手続補正２０】
【補正対象書類名】明細書
【補正対象項目名】０１２８
【補正方法】削除
【補正の内容】
【手続補正２１】
【補正対象書類名】明細書
【補正対象項目名】０１２９
【補正方法】削除
【補正の内容】
【手続補正２２】
【補正対象書類名】明細書
【補正対象項目名】０１３０
【補正方法】変更
【補正の内容】
【０１３０】
請求項３の発明によれば、入賞によって有価価値が払い出される場合、及びスロットマシン内部に蓄積された有価価値が精算されて払い出される場合とで、異なる態様の報知を行うことができる。
【手続補正２３】
【補正対象書類名】明細書
【補正対象項目名】０１３１
【補正方法】変更
【補正の内容】
【０１３１】
請求項５の発明によれば、遊技者の操作によって精算による有価価値の払い出しが指示されてから有価価値の精算による払い出しを完了するまでの期間にタイミングを合わせて、有価価値の精算による払い出しを報知することができる。また、異常の発生によって有価価値の精算による払い出しが行えなくなることによって、報知を停止させ、一旦停止された報知を再開させることができる。
【手続補正２４】
【補正対象書類名】明細書
【補正対象項目名】０１３２
【補正方法】削除
【補正の内容】
【手続補正２５】
【補正対象書類名】明細書
【補正対象項目名】０１３３
【補正方法】削除
【補正の内容】
【手続補正２６】
【補正対象書類名】明細書
【補正対象項目名】０１３４
【補正方法】削除
【補正の内容】
【手続補正２７】
【補正対象書類名】明細書
【補正対象項目名】０１３５
【補正方法】削除
【補正の内容】